(57)【特許請求の範囲】
【請求項１】
多孔質材料により形成されて含水した水を蒸散可能な長尺状の蒸散体と、前記蒸散体を支持する支持手段とを備え、前記蒸散体の長尺方向の軸を縦向きとして前記支持手段によって建物の一部に取り付けられる蒸散装置において、
前記支持手段は、前記長尺方向の軸に平行な軸心回りに前記蒸散体を揺動させる揺動機構と、前記蒸散体に水を供給する給水機構とを備え、
前記揺動機構は、前記蒸散体を保持する保持部と、前記建物の一部に取り付けられる取付部と、前記保持部と前記取付部との間に設けられるヒンジ部とを備え、
前記ヒンジ部は、前記蒸散体の側方に前記軸心を有する
ことを特徴とする蒸散装置。
【請求項２】
前記揺動機構は、上下方向に複数設けられる
ことを特徴とする請求項１記載の蒸散装置。
【請求項３】
前記揺動機構は、前記蒸散体の上端部に上揺動機構として設けられると共に、前記蒸散体の下端部に下揺動機構として設けられる
ことを特徴とする請求項１記載の蒸散装置。
【請求項４】
前記給水機構は、前記上揺動機構の前記取付部に設けられる給水ヘッダと、前記給水ヘッダから前記蒸散体に向けて延伸する可撓性の給水ホースとを備えており、前記給水ホースには、前記蒸散体の揺動に追従可能な撓みしろが設けられている
ことを特徴とする請求項３記載の蒸散装置。
【請求項５】
前記上揺動機構の前記保持部は、前記蒸散体の上端部を覆うキャップ状に形成されており、当該保持部には、前記給水ホースを挿通させる孔部が設けられている
ことを特徴とする請求項４記載の蒸散装置。
【請求項６】
前記下揺動機構には、前記蒸散体に供給された水を受ける集水機構が設けられており、
前記集水機構は、前記下揺動機構の前記保持部に設けられる受け皿と、前記受け皿の底部から前記取付部に延在する可撓性の集水ホースと、前記取付部に設けられて前記集水ホースに連結される集水ヘッダとを備えており、前記集水ホースには、前記蒸散体の揺動に追従可能な撓みしろが設けられている
ことを特徴とする請求項３〜５のいずれか一項記載の蒸散装置。
【請求項７】
前記下揺動機構の前記保持部は、前記蒸散体の下端部を覆うキャップ状に形成されており、当該保持部内に前記受け皿が収容されると共に、当該保持部には、前記集水ホースを挿通させる孔部が設けられている
ことを特徴とする請求項６に記載の蒸散装置。
【請求項８】
所定の間隔で並んだ複数の蒸散体と、前記複数の蒸散体のそれぞれを支持する複数の支持手段とを備え、
前記複数の蒸散体を同時に同一方向に揺動させる連結揺動手段を有する
ことを特徴とする請求項１〜７のいずれか一項記載の蒸散装置。
【発明の詳細な説明】
【技術分野】
【０００１】
本発明は、多孔質材料からなる蒸散体に含ませた水を蒸散させ、水の蒸発熱によって空気を冷却する蒸散装置に関する。
【背景技術】
【０００２】
従来、蒸発冷却を利用した冷気導入法が民家等において採用されている。例えば、陽当たりの良い庭と、樹木で覆われた涼しい庭とを部屋の前後に配置し、陽当たりの良い庭の上昇気流により涼しい庭から涼しい空気を誘引し、更に涼しい庭側の入り口に水の入った素焼の壺を置くことにより、その表面からの水の蒸発によって壺の中の水を冷却し、部屋に流入する空気を加湿・冷却する方法が知られている。
【０００３】
この種の冷却方法をさらに効率化したものとして、多孔質材料からなるルーバーを水の蒸発熱によって冷却するようにした蒸散装置が知られている。例えば、下記特許文献１，２には、水平軸を中心に回動可能なルーバーを備え、このルーバーに水を供給することにより、ルーバーを蒸散体として用いる装置が開示されている。
【先行技術文献】
【特許文献】
【０００４】
【特許文献１】特開２００６−２８９２７号公報
【特許文献２】特開２００８−１２７７４６号公報
【発明の概要】
【発明が解決しようとする課題】
【０００５】
上述した従来の蒸散装置では、水平軸を中心にルーバーを回動させる構成となっているため、長尺なルーバーを採用する場合には、自重によりルーバーの中央が撓んでうまく回動しないという問題がある。これを解決するために、ルーバーの断面強度を上げて撓みを抑える方法が考えられるが、その場合、断面が大きくなり、ルーバー本来の機能である日射調整、視界調整に支障をきたしてしまう。
【０００６】
そこで、ルーバーを縦向きに設置する構成が考えられるが、上述した従来の蒸散装置におけるルーバーをそのまま縦向きにした場合、ルーバーの下端に位置することとなる回動軸部に過大な荷重がかかり、回動軸部が磨耗などによって損傷する虞がある。また、当該ルーバーの下端部に回動軸部を設ける場合、この回動軸部が、当該ルーバーを流下してくる水やルーバーの下端で滞留する水に長期に亘って晒されることになり、これによっても回動軸部を早期に劣化させてしまう虞もある。さらに、横並びの各ルーバーの上下端部に対向させた状態でこれら各ルーバーを支持する支持部材が設けられる構成であるため、ルーバーの上下端部を当該ルーバーの支持部材よりも突出させてこれらルーバーの垂直性をデザインとして生かすことができず、美観性も損ねられる。
【０００７】
そこで本発明は、長尺な蒸散体を揺動可能な状態で縦向きに設置した場合でも、軸部にかかる負荷を低減し、かつ、美観の向上を図ることができる蒸散装置を提供することを目的とする。
【課題を解決するための手段】
【０００８】
本発明に係る蒸散装置は、多孔質材料により形成されて含水した水を蒸散可能な長尺状の蒸散体と、蒸散体を支持する支持手段とを備え、蒸散体の長尺方向の軸を縦向きとして支持手段によって建物の一部に取り付けられる蒸散装置において、支持手段は、長尺方向の軸に平行な軸心回りに蒸散体を揺動させる揺動機構と、蒸散体に水を供給する給水機構とを備え、揺動機構は、蒸散体を保持する保持部と、建物の一部に取り付けられる取付部と、保持部と取付部との間に設けられるヒンジ部とを備え、ヒンジ部は、蒸散体の側方に軸心を有することを特徴とする。
【０００９】
この蒸散装置によれば、長尺状の蒸散体は、支持手段の保持部によって保持され、揺動機構によって、保持部と取付部との間に設けられたヒンジ部の軸心回りを揺動する。ここで、ヒンジ部の軸心は、蒸散体の側方にあるため、蒸散体による荷重は、ヒンジ部のみならず、建物の一部に取り付けられる取付部等にも作用する。よって、蒸散体による荷重を建物側にも分散させることができ、軸部であるヒンジ部にかかる荷重が低減される。また、ヒンジ部が蒸散体の側方に設けられているので、蒸散体を流下してくる水の多くは当該蒸散体下方に流下し、ヒンジ部に到達する水はほとんど無いため、これによってヒンジ部の劣化も抑制されることとなる。また、ヒンジ部の軸心が蒸散体の側方にあることにより、ヒンジ部を蒸散体によって覆い隠すことができる。よって、美観の向上を図ることができる。
【００１０】
ここで、揺動機構は、上下方向に複数設けられると好適である。この場合、複数の揺動機構により蒸散体を支持するので、蒸散体の支持状態や揺動状態が安定する。
【００１１】
また、揺動機構は、蒸散体の上端部に上揺動機構として設けられると共に、蒸散体の下端部に下揺動機構として設けられると好適である。この場合、上下一対の揺動機構により蒸散体を支持するので、支持状態や揺動状態がより一層安定する。
【００１２】
また、給水機構は、上揺動機構の取付部に設けられる給水ヘッダと、給水ヘッダから蒸散体に向けて延伸する可撓性の給水ホースとを備えており、給水ホースには、蒸散体の揺動に追従可能な撓みしろが設けられていると好適である。この場合、蒸散体の揺動の向きや大きさに関わらず、給水ホースが撓みつつその揺動に追従するため、蒸散体への水の供給が適切に行われる。
【００１３】
また、上揺動機構の保持部は、蒸散体の上端部を覆うキャップ状に形成されており、当該保持部には、給水ホースを挿通させる孔部が設けられていると好適である。この場合、蒸散体の上端部や、給水ホースから蒸散体への水の供給部分が保持部によって覆われることとなり、衝撃や日射等からこれらを防護することができる。
【００１４】
また、下揺動機構には、蒸散体に供給された水を受ける集水機構が設けられており、集水機構は、下揺動機構の保持部に設けられる受け皿と、受け皿の底部から取付部に延在する可撓性の集水ホースと、取付部に設けられて集水ホースに連結される集水ヘッダとを備えており、集水ホースには、蒸散体の揺動に追従可能な撓みしろが設けられていると好適である。この場合、集水機構により、蒸散体に含水されずに通過した水を受けて集水することができ、その水が蒸散体の下方に漏出することを防止できる。また、蒸散体の揺動の向きや大きさに関わらず、集水ホースが撓みつつその揺動に追従するため、蒸散体を通過した水の集水が適切に行われる。
【００１５】
また、下揺動機構の保持部は、蒸散体の下端部を覆うキャップ状に形成されており、当該保持部内に受け皿が収容されると共に、当該保持部には、集水ホースを挿通させる孔部が設けられていると好適である。この場合、蒸散体の下端部や受け皿、受け皿と集水ホースとの連結部分が保持部によって覆われることとなり、衝撃や日射等からこれらを防護することができる。
【００１６】
また、所定の間隔で並んだ複数の蒸散体と、複数の蒸散体のそれぞれを支持する複数の支持手段とを備え、複数の蒸散体を同時に同一方向に揺動させる連結揺動手段を有すると好適である。この場合、連結揺動手段によって、複数の蒸散体のすべてを同一方向に容易に揺動させることができる。よって、複数の蒸散体を個々に揺動させる場合に比して、操作が簡便となり、しかも、各蒸散体の揺動姿勢を揃えることができ、揺動に伴う各蒸散体の向きのばらつきを防止することができる。
【発明の効果】
【００１７】
本発明によれば、長尺な蒸散体を縦向きに設置した場合でも、軸部にかかる負荷を低減し、かつ、美観の向上を図ることができる。
【図面の簡単な説明】
【００１８】
【図１】本発明の一実施形態に係る蒸散装置を模式的に示す正面図である。
【図２】図１の蒸散装置を模式的に示す側面図である。
【図３】図１の蒸散装置を模式的に示す平面図である。
【図４】図２中の支持手段付近を拡大して示す側断面図である。
【図５】図４のＶ−Ｖ線に沿っての断面図である。
【図６】連結揺動手段によって蒸散体を閉じさせた状態を示す平面図である。
【図７】他の実施形態に係る蒸散装置を示す側断面図である。
【発明を実施するための形態】
【００１９】
以下、本発明の実施形態について、図面を参照しながら説明する。なお、図面の説明において同一要素には同一符号を付し、重複する説明は省略する。
【００２０】
図１〜図３に示すように、蒸散ルーバー１は、建物の外壁やベランダ枠等に取り付けられて、建物の周囲の空気や建物内に流入する空気を冷却するための蒸散装置である。蒸散ルーバー１は、多孔質材料により形成された複数の蒸散体２を備え、この蒸散体２に含ませた水を蒸散させ、水の蒸発熱（気化熱）によって空気を冷却する。この蒸散ルーバー１は、各蒸散体２が揺動可能であることにより、換気、通風（ウィンドキャッチャ）、プライバシーの保護、日照調整、耐火、耐風等の各種機能を兼ね備えている。
【００２１】
各蒸散体２は、例えば軽量気泡コンクリート（ＡＬＣ；Autoclaved  Lightweight  Concrete）からなる長尺な角柱状の部材である。蒸散体２は、一定量の含水能力を有すると共に、周辺の温湿度環境に応じて含水した水を放散する能力を有している。各蒸散体２は、その長尺方向の軸Ａ（図４参照）が鉛直方向（縦向き）となるように、支持手段４によってそれぞれ支持されている。なお、蒸散体２は、軽量気泡コンクリートに限られず、水を吸収して放散（蒸散）する構成であればいかなる素材から形成されてもよい。蒸散体として、例えばセラミック、陶器、布の積層体、またはこれらを組み合わせたものを用いることもできる。
【００２２】
各蒸散体２の上端部２ａは、支持手段４の上側の保持部としての上キャップ３によって覆われている。上キャップ３内に上端部２ａが嵌入されることにより、上キャップ３は、上端部２ａを保持している。各蒸散体２の下端部２ｂは、支持手段４の下側の保持部としての下キャップ６によって覆われている。下キャップ６内に下端部２ｂが嵌入されることにより、下キャップ６は、下端部２ｂを保持している。下キャップ６の内壁面には、矩形環状の支持突部３９が径方向内方に向けて突出しており、この支持突部３９上に下端部２ｂが載置される。上キャップ３及び下キャップ６は、例えば金属製である。なお、支持突部３９は、蒸散体２や下キャップ６の形状に応じて、正方形環状または長方形環状とすることができ、また、各内壁面に設けられた複数の突起とすることもできる。
【００２３】
各蒸散体２は、建物の外壁等に沿って所定の間隔で並設されている。各蒸散体２は、上キャップ３同士が連結部材１０によって連結されることにより、連結駆動装置７によって駆動されて同時に同一方向に揺動可能となっている（図６参照）。各上キャップ３は、ピン１０ａを介して、連結部材１０に対して回動可能に連結されている。連結駆動装置７としては、例えばジャロジー窓に用いられるような手動または自動の装置を用いることができる。連結駆動装置７、連結部材１０、及びピン１０ａによって連結揺動装置３１が構成されている。
【００２４】
蒸散ルーバー１は、循環ラインＬ１、循環ラインＬ１に設けられた循環ポンプ８、及び流量調整弁９からなる水循環装置３０を備えている。この水循環装置３０は、各蒸散体２に含水されずに通過した水を集水して循環させるためのものである。循環ラインＬ１は、後述する集水機構３３の集水ヘッダ２８及び給水機構３２の給水ヘッダ２２に接続されている。さらに、蒸散ルーバー１には、水補給装置として、循環ラインＬ１に接続された給水ラインＬ２を介して外部から水を補給するシスターン１５が設けられている。シスターン１５は、水循環装置３０よりも高い位置に設置される。なお、図２，３においては、給水ラインＬ２及びシスターン１５の図示は省略されている。また、水循環装置３０は、蒸散体２への給水および蒸散体２からの集水を適切に自動で制御する制御装置を備えていてもよい。
【００２５】
図４に示すように、支持手段４は、軸Ａに平行な軸心Ｂ１，Ｂ２回りに蒸散体２を揺動させる上揺動機構２０及び下揺動機構２１を備えている。上揺動機構２０は、蒸散体２の上端部２ａに設けられ、下揺動機構２１は、蒸散体２の下端部２ｂに設けられる。上揺動機構２０の軸心Ｂ１と下揺動機構２１の軸心Ｂ２とは、一直線上に位置している。これらの軸心Ｂ１，Ｂ２は、同一直線上に位置して軸Ａの側方に位置している。
【００２６】
上揺動機構２０は、上記した上キャップ３と、建物の外壁Ｃに取り付けられた上取付部１１と、上キャップ３と上取付部１１との間に設けられた上ヒンジ１２とを備えている。上取付部１１は、複数の蒸散体２に対して設けられた、水平方向に延在する中空の部材である。上取付部１１は、複数の蒸散体２に対して共通に１つ設けられている。上取付部１１は、例えば金属製の板材からなる。上取付部１１は、外壁Ｃに対しアンカーボルト等により固定されて、外壁Ｃとの間で水平方向に延びる空間Ｓ１を内部に形成する。
【００２７】
上ヒンジ１２は、上取付部１１の蒸散体２側の側壁１１ａに固定されると共に、上キャップ３の外壁Ｃ側の側壁３ａに固定される。上ヒンジ１２は、例えば金属製である。図４及び図５に示すように、上ヒンジ１２は、側壁１１ａに固定される取付板部１２ａと、側壁３ａに固定される断面Ｔ字状の支持板部１２ｃと、取付板部１２ａに対して支持板部１２ｃを回動可能に支持する軸部１２ｂとを有する。軸部１２ｂは、軸心Ｂ１を有する。上ヒンジ１２は、例えば溶接によって上取付部１１や上キャップ３に固定されてもよいし、ネジ等によって固定されてもよい。
【００２８】
図４に示すように、下揺動機構２１は、上記した下キャップ６と、建物の外壁Ｃに取り付けられた下取付部１３と、下キャップ６と下取付部１３との間に設けられた下ヒンジ１４とを備えている。下取付部１３は、複数の蒸散体２に対して設けられた、水平方向に延在する中空の部材である。下取付部１３は、複数の蒸散体２に対して共通に１つ設けられている。下取付部１３は、例えば金属製の板材からなる。下取付部１３は、外壁Ｃに対しアンカーボルト等により固定されて、外壁Ｃとの間で水平方向に延びる空間Ｓ２を内部に形成する。
【００２９】
下ヒンジ１４は、下取付部１３の蒸散体２側の側壁１３ａに固定されると共に、下キャップ６の外壁Ｃ側の側壁６ａに固定される。下ヒンジ１４は、例えば金属製である。下ヒンジ１４は、側壁１３ａに固定される取付板部と、側壁６ａに固定される断面Ｔ字状の支持板部１４ｃと、取付板部に対して支持板部１４ｃを回動可能に支持する軸部１４ｂとを有する。軸部１４ｂは、軸心Ｂ２を有する。下ヒンジ１４は、例えば溶接によって下取付部１３や下キャップ６に固定されてもよいし、ネジ等によって固定されてもよい。
【００３０】
上記した上揺動機構２０及び下揺動機構２１により、各蒸散体２は、上下の２点で支持されながら、連結揺動装置３１によって軸心Ｂ１，軸心Ｂ２回りを揺動可能になっている。軸心Ｂ１，軸心Ｂ２は軸Ａの側方に位置するため、蒸散体２による荷重は、上ヒンジ１２、上取付部１１、下ヒンジ１４、及び下取付部１３に分散して作用する。また、図１に示すように、正面から見て上ヒンジ１２及び下ヒンジ１４は、蒸散体２の上端部２ａ及び下端部２ｂによって覆い隠されている。
【００３１】
さらに、図４に示すように、支持手段４は、各蒸散体２に水を供給する給水機構３２を備えている。給水機構３２は、上揺動機構２０の上取付部１１内に敷設された給水ヘッダ２２と、給水ヘッダ２２の下部に接続されて、給水ヘッダ２２に対して水密性を保ちつつ回動可能なＯリング式継手２３と、継手２３に接続されて、蒸散体２の上端部２ａに向けて延伸する可撓性の給水ホース２４とを備えている。給水ヘッダ２２は、複数の蒸散体２に対して共通に１本設けられている。給水ヘッダ２２及び継手２３は、上取付部１１によって形成された空間Ｓ１内に配置される。給水ホース２４の先端は、蒸散体２の上端部２ａに向けて下方に折り曲げられている。
【００３２】
上取付部１１の側壁１１ａには、軸部１２ｂの下方において給水ホース２４を挿通させる貫通孔３４が設けられている。また、上キャップ３の側壁３ａには、支持板部１２ｃの下方において、給水ホース２４を挿通させる貫通孔（孔部）３６が設けられている。給水ホース２４は、継手２３を支点として、軸心Ｂ１回りを揺動する蒸散体２に追従する。給水ホース２４には、蒸散体２の揺動に追従可能な撓みしろが設けられている。貫通孔３４及び貫通孔３６は、撓みつつ蒸散体２に追従する給水ホース２４に干渉しないよう、水平方向に長い長孔とされている。
【００３３】
給水ホース２４の先端は、蒸散体２の揺動に伴って蒸散体２の上面を僅かに移動する構成となっている。当該蒸散体２は、給水ホース２４の先端がいずれの位置にあっても水を含水できる構成となっている。蒸散ルーバー１では、蒸散体２の上端面をそのまま露出させ、そこに給水ホース２４の先端が対向している。なお、このような構成に限られ図、１又は複数の通水路が蒸散体２の上端面から下端面に亘って形成される構成としてもよい。このようにすれば、蒸散体２の全体に速やかに水を吸収させることができる。
【００３４】
上揺動機構２０にあっては、上ヒンジ１２は、給水ホース２４よりも上、すなわち高い位置に設けられている。これにより、給水ホース２４からの水漏れが仮に生じた場合であっても、上ヒンジ１２には影響が及ばないようになっている。
【００３５】
また、下揺動機構２１には、蒸散体２に供給された水であって蒸散体２に含水されずに通過した水を受ける集水機構３３が設けられている。集水機構３３は、下キャップ６内で下端部２ｂの下方に収容された逆角錐状の受け皿２６と、受け皿２６の底部に接続されて下取付部１３内に延在する可撓性の集水ホース２７と、下取付部１３内に敷設されて集水ホース２７に接続された集水ヘッダ２８とを備えている。集水ヘッダ２８は、複数の蒸散体２に対して共通に１本設けられている。集水ヘッダ２８は、下取付部１３によって形成された空間Ｓ２内に配置される。
【００３６】
下取付部１３の側壁１３ａには、軸部１４ｂの下方において集水ホース２７を挿通させる貫通孔３７が設けられている。また、下キャップ６の側壁６ａには、支持板部１４ｃの下方において、集水ホース２７を挿通させる貫通孔（孔部）３８が設けられている。集水ホース２７は、集水ヘッダ２８への接続点を支点として、軸心Ｂ２回りを揺動する蒸散体２に追従する。集水ホース２７には、蒸散体２の揺動に追従可能な撓みしろが設けられている。貫通孔３７及び貫通孔３８は、撓みつつ蒸散体２に追従する集水ホース２７に干渉しないよう、水平方向に長い長孔とされている。
【００３７】
下揺動機構２１にあっては、下ヒンジ１４は、集水ホース２７よりも上、すなわち高い位置に設けられている。これにより、集水ホース２７からの水漏れが仮に生じた場合であっても、下ヒンジ１４には影響が及ばないようになっている。
【００３８】
以上説明した蒸散ルーバー１では、連結揺動装置３１の連結駆動装置７が操作されることにより、各蒸散体２が同時に同一方向に揺動する。各蒸散体２には、給水機構３２を介して水循環装置３０によって常時適量の水が供給され、これによって、蒸散体２は所定の含水量で含水する。蒸散体２内を通過した水や蒸散体２で含水されずに当該蒸散体２の表面を流下した水は、集水機構３３によって集水され、集水された水は水循環装置３０によって適宜循環される。各蒸散体２の表面からは、蒸散体２に含まれた水が蒸散し、水の蒸発熱によって周囲の空気を冷却する。
【００３９】
蒸散ルーバー１では、その使用の目的に応じて、その揺動状態が調整される。例えば、換気、通風、日照調整等のために蒸散体２同士の間が適度な開度に保たれる状態とすることができる。また、プライバシーの保護、耐火、耐風等を目的として、完全に閉じた状態とすることもできる。図６に示すように、隣り合う蒸散体２同士が接触する位置まで蒸散体２を揺動させると、蒸散体２同士の間の間隙がなくなるので、外部から建物内を視認することができなくなると共に、耐火性や耐風性が備わることとなる。特に、蒸散体２は水を含んでいるので、耐火性に優れる。
【００４０】
本実施形態の蒸散ルーバー１によれば、各蒸散体２は、支持手段４のキャップ３，６によって保持され、揺動機構２０，２１によって、ヒンジ１２，１４の軸心Ｂ１，Ｂ２回りを揺動する。ここで、ヒンジ１２，１４の軸心Ｂ１，Ｂ２は、蒸散体２の側方にあるため、蒸散体２による荷重は、ヒンジ１２，１４のみならず、外壁Ｃに取り付けられる取付部１１，１３等にも作用する。よって、蒸散体２による荷重を建物側にも分散させることができ、軸部であるヒンジ１２，１４にかかる荷重が低減されている。また、ヒンジ１２，１４が蒸散体２の側方に設けられているので、蒸散体２を流下してくる水の多くは当該蒸散体２の下方に流下し、ヒンジ１２，１４に到達する水はほとんど無く、これによってヒンジ１２，１４の劣化が抑制されている。また、ヒンジ１２，１４の軸心Ｂ１，Ｂ２が蒸散体２の側方にあることにより、ヒンジ１２，１４を蒸散体２によって覆い隠すことができる。よって、美観の向上が図られている。さらには、蒸散体２の上下の両端部を突出させた状態で蒸散体２が設置されているので、縦ルーバーの垂直性がデザインとして生かされており、デザイン性が一層向上している。
【００４１】
また、揺動機構２０，２１が上下方向に複数設けられているので、複数の揺動機構２０，２１により蒸散体２が支持され、蒸散体２の支持状態や揺動状態が安定している。
【００４２】
また、揺動機構は、蒸散体２の上端部２ａに上揺動機構２０として設けられると共に、蒸散体２の下端部２ｂに下揺動機構２１として設けられているので、上下一対の揺動機構２０，２１により蒸散体２が支持され、蒸散体２の支持状態や揺動状態がより一層安定している。
【００４３】
また、給水ヘッダ２２から蒸散体２に向けて延伸する可撓性の給水ホース２４には、蒸散体２の揺動に追従可能な撓みしろが設けられているので、蒸散体２の揺動の向きや大きさに関わらず、給水ホース２４が撓みつつその揺動に追従し、蒸散体２への水の供給が適切に行われる。
【００４４】
また、上揺動機構２０が蒸散体２の上端部２ａを覆う上キャップ３を有しており、この上キャップ３に給水ホース２４を挿通させる貫通孔３６が設けられているので、蒸散体２の上端部２ａや、給水ホース２４から蒸散体２への水の供給部分が上キャップ３によって覆われており、これらが衝撃や日射等から防護されている。
【００４５】
また、下揺動機構２１の集水機構３３により、蒸散体２に含水されずに通過した水を受けて集水することができ、その水が蒸散体２の下方に漏出することが防止されている。また、受け皿２６の底部から下取付部１３に延在する可撓性の集水ホース２７には、蒸散体２の揺動に追従可能な撓みしろが設けられているので、蒸散体２の揺動の向きや大きさに関わらず、給水ホース２４が撓みつつその揺動に追従し、蒸散体２を通過した水の集水が適切に行われる。
【００４６】
また、下揺動機構２１が蒸散体２の下端部２ｂを覆う下キャップ６を有しており、この下キャップ６内には受け皿２６が収容されると共に、集水ホース２７を挿通させる貫通孔３８が設けられているので、蒸散体２の下端部２ｂや受け皿２６、受け皿２６と集水ホース２７との連結部分が下キャップ６によって覆われており、これらが衝撃や日射等から防護されている。
【００４７】
また、連結揺動装置３１によって、所定の間隔で並んだ複数の蒸散体２を同時に同一方向に揺動させることができるので、複数の蒸散体２を個々に揺動させる場合に比して、操作が簡便となり、しかも、各蒸散体２の揺動姿勢を揃えることができ、揺動に伴う各蒸散体２の向きのばらつきが防止されている。
【００４８】
さらにまた、水循環装置３０によって、蒸散体２への給水および蒸散体２からの集水が制御されるので、例えば蒸散体２を通過した水が下キャップ６から溢流するような事態を防止することができる。
【００４９】
図７は、第２実施形態に係る蒸散ルーバー１Ａを示す側断面図である。図７に示す蒸散ルーバー１Ａが第１実施形態の蒸散ルーバー１と違う点は、上下方向（長尺方向）に２本の蒸散体４０Ａ，４０Ｂを並設した点と、支持手段４に代えて、蒸散体４０Ａ，４０Ｂを連結すると共にこれらを支持する中間揺動機構４１を有する支持手段４Ａを備えた点である。中間揺動機構４１は、角筒状の中間キャップ４２と、建物の外壁Ｃに取り付けられた中間取付部４３と、中間キャップ４２と中間取付部４３との間に設けられた中間ヒンジ４４とを備えている。中間取付部４３及び中間ヒンジ４４は、上揺動機構２０や下揺動機構２１における取付部１１，１３及びヒンジ１２，１４と略同様の構成とされる。中間取付部４３内には、給水や集水に係る機構は特に設けられない。中間キャップ４２内には、蒸散体４０Ａを通過した水を蒸散体４０Ｂに適切に供給するための受け皿４６を設けることができる。
【００５０】
このような蒸散ルーバー１Ａによれば、第１実施形態の蒸散ルーバー１と同様の作用効果が得られると共に、複数の蒸散体４０Ａ，４０Ｂを長尺方向に連結することができる。しかも、各蒸散体４０Ａ，４０Ｂは上下方向に配置されることから、蒸散体４０Ａ，４０Ｂの撓みを抑制することができる。なお、図７では、水循環装置３０や連結揺動装置３１の図示は省略されている。
【００５１】
以上、本発明の実施形態について詳述したが、本発明は上記実施形態に限られるものではない。例えば、上記実施形態では、上端部２ａと下端部２ｂとの２箇所に揺動機構２０，２１設ける場合について説明したが、上端部２ａのみに揺動機構を設けてもよいし、上端部２ａと中間部との２箇所に揺動機構を設けてもよい。また、使用環境や使用目的によっては、集水機構３３や水循環装置３０を省略してもよい。
【００５２】
また、上記実施形態では、連結部材１０によって上キャップ３同士を連結する場合について説明したが、連結揺動手段として、上キャップ３同士のみならず下キャップ６同士を連結してもよい。この場合、蒸散体２が特に長尺であっても、上下の２点で複数の蒸散体２を駆動することにより、安定した揺動状態を得ることができる。
【符号の説明】
【００５３】
１…蒸散ルーバー（蒸散装置）、２…蒸散体、３…上キャップ（保持部）、３ａ…側壁、４…支持手段、６…下キャップ（保持部）、６ａ…側壁、１１…上取付部、１２…上ヒンジ（ヒンジ部）、１３…下取付部、１４…下ヒンジ（ヒンジ部）、２０…上揺動機構、２１…下揺動機構、２２…給水ヘッダ、２４…給水ホース、２６…受け皿、２７…集水ホース、２８…集水ヘッダ、３１…連結揺動装置（連結揺動手段）、３２…給水機構、３３…集水機構、３６…貫通孔（孔部）、３８…貫通孔（孔部）、Ａ…長尺方向の軸、Ｂ１，Ｂ２…軸心、Ｃ…外壁（建物の一部）。
【図１】
0005618894.tif 000002
【図２】
0005618894.tif 000003
【図３】
0005618894.tif 000004
【図４】
0005618894.tif 000005
【図５】
0005618894.tif 000006
【図６】
0005618894.tif 000007
【図７】
0005618894.tif 000008